(57)【要約】【課題】ハウジングに対して端子金具を確実に装着でき、端子金具の抜け強度が高く、組立作業性の良いコネクタの提供を目的とする。【解決手段】コネクタは、ハウジングと端子金具とロックピースとを備え、ハウジングは端子収納孔を貫通して有し、端子収納孔は係止段差部と爪係止部とを有し、端子金具は先端側に接触部を有し、後端側に電気接続用のワイヤを取り付けてあると共に端子金具側部から後端側に向けて突出した弾性係止片を有し、ロックピースは端子抜止部と係止爪とを有し、端子金具を先端側からハウジングの端子収納孔に挿入して弾性係止片を係止段差部に係止し、ロックピースの端子抜止部を端子金具の外周に沿ってハウジングの端子収納孔に挿入して係止爪が爪係止部に係止し、端子抜止部は端子金具が抜けるのを防止してある。【選択図】  図１
2008071543.tif 000002
【特許請求の範囲】
【請求項１】
ハウジングと端子金具とロックピースとを備え、
ハウジングは端子収納孔を貫通して有し、端子収納孔は係止段差部と爪係止部とを有し、
端子金具は先端側に接触部を有し、後端側に電気接続用のワイヤを取り付けてあると共に端子金具側部から後端側に向けて突出した弾性係止片を有し、
ロックピースは端子抜止部と係止爪とを有し、
端子金具を先端側からハウジングの端子収納孔に挿入して弾性係止片を係止段差部に係止し、且つロックピースの端子抜止部を端子金具の外周に沿ってハウジングの端子収納孔に挿入して係止爪が爪係止部に係止し、端子抜止部は端子金具が端子収納孔から抜けるのを防止してあることを特徴とするコネクタ。
【請求項２】
ハウジングの端子収納孔は、さらにガイド片保持溝を有し、
端子金具は、さらにガイド片を有し、
端子金具を先端側からハウジングの端子収納孔に挿入して弾性係止片を係止段差部に係止し、且つガイド片をガイド片保持溝に挿入保持し、ロックピースの端子抜止部を端子金具の外周に沿ってハウジングの端子収納孔に挿入して係止爪が爪係止部に係止し、端子抜止部がガイド片保持溝からガイド片が抜けるのを防止してあることを特徴とする請求項１記載のコネクタ。
【請求項３】
ロックピースは半筒形に形成したベース部を有し、端子抜止部はガイド片保持溝の溝口を塞ぐようにベース部から挿入方向側に突出して設けてあることを特徴とする請求項２記載のコネクタ。
【請求項４】
請求項１〜３のいずれかに記載のコネクタを一対備え、一方をプラグコネクタにし、他方をソケットコネクタにしたことを特徴とする中継コネクタ。
【請求項５】
ソケットコネクタは筒形隔壁を有して筒形隔壁部内を貫通して端子収納孔を設けてあり、プラグコネクタは内筒部と外筒部とからなる筒形凹部を有して内筒部を貫通して端子収納孔を設けてあり、筒形隔壁が内筒部と外筒部の間に嵌合するものであることを特徴とする請求項４記載の中継コネクタ。
【発明の詳細な説明】
【技術分野】
【０００１】
本発明は端子金具の抜止性が高いコネクタに関し、例えば液晶プロジェクター等の光源ランプを電源側に接続するのに使用する高電圧用の中継コネクタに好適である。
【背景技術】
【０００２】
電気接続用のコネクタ構造としては、図１０（ａ）に示すようにコネクタ１３０の端子金具１５０に切り出しにより弾性係止片１５２（ランス）を形成して、端子収納孔１３３内に設けてある係止段差部１３４に弾性係止片１５２を係止し、端子金具１５０を端子収納孔１３３内に装着する技術が公知である。
しかし、図１０（ｂ）のように弾性係止片１５２がバネ性がなくなるまで塑性変形したり、図１０（ｃ）のように端子金具１５０の挿入が不充分で係止段差部１３４に弾性係止片１５２が未係合となったり、図１０（ｄ）のように弾性係止片１５２が外力により変形してしまうと、図１０（ｅ）のようにコネクタ嵌合時に端子金具１５０が後退して相手側コネクタ１４０の端子金具１６０との接触が不十分となる恐れがあった。
特に液晶プロジェクター等の光源ランプに使用するコネクタにあっては、数ｋＶの高電圧が印加されるため接触不良が生じると火災が発生する恐れがある。
実開平０１−１５５６７４号公報には、一次係止部の他に、ゴム栓とゴム栓の抜けを防止するストッパー部材からなる二重係止構造の防水コネクタを開示する。
しかし、防水のためのゴム栓が抜けるのを防止することを目的としたストッパー部材であり、端子金具を直接的に２重係止するものではなく、構造も複雑である。
【０００３】
【特許文献１】実開平０１−１５５６７４号公報
【発明の開示】
【発明が解決しようとする課題】
【０００４】
本発明は上記技術的課題に鑑みて、ハウジングに対して端子金具を確実に装着でき、端子金具の抜け強度が高く、組立作業性の良いコネクタの提供を目的とする。
また、接触不良を効果的に防止する中継コネクタの提供も目的とする。
【課題を解決するための手段】
【０００５】
請求項１記載に係るコネクタは、ハウジングと端子金具とロックピースとを備え、ハウジングは端子収納孔を貫通して有し、端子収納孔は係止段差部と爪係止部とを有し、端子金具は先端側に接触部を有し、後端側に電気接続用のワイヤを取り付けてあると共に端子金具側部から後端側に向けて突出した弾性係止片を有し、ロックピースは端子抜止部と係止爪とを有し、端子金具を先端側からハウジングの端子収納孔に挿入して弾性係止片を係止段差部に係止し、且つロックピースの端子抜止部を端子金具の外周に沿ってハウジングの端子収納孔に挿入して係止爪が爪係止部に係止し、端子抜止部は端子金具が端子収納孔から抜けるのを防止してあることを特徴とする。
これにより、後端側にワイヤを取り付けた端子金具は、ハウジングに対して端子金具に設けた弾性係止片による係止とロックピースによる係止との二重係止となる。
ロックピースは、ハウジングの端子収納孔と端子金具との間に挿入して端子金具の抜けを防止するものであれば、特に係止方法を限定するものではないが、例として、ハウジングの端子収納孔は、さらにガイド片保持溝を有し、端子金具は、さらにガイド片を有し、端子金具を先端側からハウジングの端子収納孔に挿入して弾性係止片を係止段差部に係止し、且つガイド片をガイド片保持溝に挿入保持し、ロックピースの端子抜止部を端子金具の外周に沿ってハウジングの端子収納孔に挿入して係止爪が爪係止部に係止し、端子抜止部がガイド片保持溝からガイド片が抜けるのを防止する方法が挙げられる。
ここで、ロックピースは半筒形に形成したベース部を有し、端子抜止部はガイド片保持溝の溝口を塞ぐようにベース部から挿入方向側に突出して設けてあると、後端側にワイヤを取り付けた端子金具をハウジングの端子収納孔に挿入組み付けした後に、このワイヤに半筒形の凹部を沿わせるようにしてロックピースのベース部を当該端子収納孔に挿入するだけで、ベース部から挿入方向側に突出して設けた端子抜止部で端子金具の抜けを効果的に防止でき、組立性がよい。
また、ここで、ガイド片保持溝の溝口とは、端子金具に設けたガイド片を挿入するハウジングのガイド片保持溝の入り口側をいう。
【０００６】
請求項４記載の中継コネクタは、請求項１〜３のいずれかに記載のコネクタを一対備え、一方をプラグコネクタにし、他方をソケットコネクタにしたことを特徴とする。
【０００７】
請求項５記載の中継コネクタは高電圧用に適していて、ソケットコネクタは筒形隔壁を有して筒形隔壁部内を貫通して端子収納孔を設けてあり、プラグコネクタは内筒部と外筒部とからなる筒形凹部を有して内筒部を貫通して端子収納孔を設けてあり、筒形隔壁が内筒部と外筒部の間に嵌合するものであることを特徴とする。
【発明の効果】
【０００８】
本発明に係るコネクタにおいては、端子金具の弾性係止片に加えて、端子金具のハウジングからの抜けを防止するロックピースを設けているため、仮に弾性係止片が塑性変形して端子金具の抜け防止力が低下してもロックピースが端子金具の抜けを効果的に防止する。
また、端子金具の挿入深さが不充分で弾性係止片が端子収納孔の係止段差部に係止しなかった場合に、ロックピースを挿入することでロックピースの端子抜止部が端子金具を押し込み、完全に挿入できるため、端子金具のハウジングへの組み付け不良を防止できる。
そして、端子金具の抜け方向の係止を弾性係止片に加えてロックピースでも行うため、端子金具の抜け強度が高い。
このロックピースのベース部を半筒形にすると、予めワイヤに通しておく必要がなく、端子金具をハウジングに組み付けた後でロックピースを取付できるために作業性が良い。
また、ロックピースは端子金具を装着するために設けてあるハウジングの端子金具挿入口から挿入して装着でき、別途取付用の孔を設ける必要がないため、端子金具の接続部同士の間に大きな沿面距離が必要な高電圧用の中継コネクタに適している。
【発明を実施するための最良の形態】
【０００９】
本発明に係るコネクタをプラグコネクタ３０に適用した実施例の外観斜視図を図２（ａ）に示す。
また、このプラグコネクタ３０と嵌合可能で、プラグコネクタ３０とともに中継コネクタを構成するソケットコネクタ４０の実施例の外観斜視図を図７（ａ）に示す。
図２（ｃ）は、図２（ａ）に示すプラグコネクタ３０の一方の極側を水平方向に切断した要部断面図を示し、図２（ｂ）は端子挿入口３３ａ側からみた外観図を示す。
図７（ｂ）は、図７（ａ）に示すソケットコネクタ３０の一方の極側を水平方向に切断した要部断面図を示し、図７（ｃ）は端子挿入口４３ａ側からみた外観図を示す。
図２、図７は、コネクタの２極ある極のうちの一方の極側にロックピース２０、２０ａを装着して、もう一方の極側にはロックピースを装着する前の状態を描いてある。
また、図２（ｂ）、図７（ｃ）はワイヤ１、２と端子金具５０、６０を図示省略してある。
プラグコネクタ３０とソケットコネクタ４０はそれぞれ、ハウジング３１、４１に端子金具５０、６０とロックピース２０、２０ａとを装着してある。
図３、図８はそれぞれロックピースの外観斜視図を示す。
図７に示すソケットコネクタ４０のハウジング４１は、筒形隔壁４２を設けて筒形隔壁４２内を通してハウジング４１を貫通した端子収納孔４３を形成してある。
図２に示すプラグコネクタ３０のハウジング３１は、図７に示すソケットコネクタ４０の筒形隔壁４２を嵌合可能な筒形凹部３２を設けて、この筒形凹部３２の軸中心を通るようにソケットコネクタハウジング３１を貫通した端子収納孔３３を形成してある。
筒形凹部３２はコネクタ嵌合方向にプラグコネクタハウジング３１から同心で突出した外筒部３２ａと内筒部３２ｂの間に形成してある。
外筒部３２ａはプラグ端子金具５０の側面を囲むようにプラグ端子金具５０の先端位置まで突出させてある。
プラグコネクタ３０とソケットコネクタ４０の嵌合接続構造については後述する。
図２、図７は２極のコネクタ実施例を示してあるが、コネクタの極数は限定されるものではなく、例えば１極や３極でも良い。
【００１０】
先ずプラグコネクタ３０の構造について、図２とプラグコネクタ３０の組立手順を示した図１の説明図を用いて説明する。
図１（ａ）はプラグ端子金具５０を端子収納孔３３に挿入する前の状態を示し、図１（ｂ）はプラグ端子金具５０を端子収納孔３３内に装着した状態を示し、図１（ｃ）はロックピース２０を端子収納孔３３のプラグ端子金具５０の後方に装着した状態を示し、それぞれコネクタの縦断面を描いてある。
プラグ端子金具５０は先端側に形成したピン形の接触部５３と、ガイド片（スタビライザー）５２と弾性係合片（ランス）５１と、ワイヤ端末を取り付けるワイヤ取付部５４とを有している。
プラグ端子５０のワイヤ取付部５４にはワイヤ１の端末をかしめて取り付けてある。
ガイド片５２はプラグ端子金具５０の挿入方向に向かった左右両側から、プラグ端子金具５０を形成する金属板の一部を挿入方向と平行となるように折り曲げ突出させてある。
弾性係止片５１は、端子金具側部から後端側に向けて突出するように、プラグ端子金具５０を形成する金属板から端子挿入方向の後ろ側を開いて傾斜させて切り出してある。
端子収納孔３３はコネクタ嵌合方向の反対側に端子挿入口３３ａで開口し、端子収納孔３３内には係止段差部３４とガイド片案内溝３７とガイド片保持溝３６とが形成してある。
係止段差部３４は段部３４ａと凹部３４ｂとを設け、段部３４ａと凹部３４ｂとの間に係止段差面３４ｃを設けている。
プラグ端子金具５０は、端子収納孔３３に挿入し、その弾性係止片５１を段部３４ａで撓ませ、凹部３４ｂで弾性復帰させ、弾性復帰した弾性係止片５１の先端を係止段差面３４ｃで係止させて端子収納孔３３内に装着する。
ガイド片保持溝３６は、プラグ端子金具５０のガイド片５２を嵌めてプラグ端子金具５０が所定位置になるように端子収納孔３３の内周壁に溝を設けてある。
ロックピース２０は、図３に示すように半筒形のベース部２１に抜止部２２と係止爪２４とストッパー部２５とを設けてある。
ベース部２１は、図１（ｂ）に示すようにワイヤ１をワイヤ取付部５４に取り付けてプラグ端子金具５０を端子収納孔３３内に装着した時に、端子収納孔３３の内周面３３ｂとワイヤ１との間に形成される取付空間部３３ｃに合わせた半筒形に形成してある。
係止爪２４はベース部２１に切欠２１ａを設けて形成したバネ片２６上に挿入方向の反対側を切り立てた断面山形に突出させてある。
ロックピース２０は図１（ｃ）に示すように端子収納孔３３の取付空間部３３ｃへ挿入して、端子収納孔３３の内周を凹ませて設けた爪係止部３８ａに係止爪２４をバネ片２６を撓ませてスナップ係止させ、端子収納孔３３内に装着する。
ロックピース２０は、ワイヤ１に予め通す必要がないのでプラグ端子金具５０を端子収納孔３３内に装着した後に取付出来る。
ロックピース２０の端子収納孔３３への挿入は係止爪２４を図２（ｂ）に示した爪ガイド溝３８ｂ、３８ｃでガイドして行う。
ロックピース２０は端子収納孔３３内へ装着することでガイド片保持溝３６のガイド片挿入側の溝口を端子抜止部２２の先端の図３に示す抜止面２２ａで塞ぎ、ガイド片保持溝３６に嵌めたガイド片５２をガイド片保持溝３６から抜け止めする。
また、図１（ｄ）に示すようにプラグ端子金具５０の端子収納孔３３への挿入深さが不十分で、ガイド片５２がガイド片保持溝３６に入りきっていない位置にある時には、この端子抜止部２２でガイド片５２の後部を押してガイド片保持溝３６の中に押し込ませ、プラグ端子位置を完全挿入位置に修正出来るようにしてある。
このロックピースを用いた、プラグ端子金具５０の抜止と、位置修正構造については後述する。
図１（ｃ）、図２に示すようにロックピース２０を端子収納孔３３内に装着すると、ロックピース２０のストッパー部２５はハウジング３１の端子挿入口３３ａの縁部に形成してあるストッパー受け凹部３９に突き当たって嵌る。
端子挿入口３３ａの縁部には、図２（ｂ）に示すように、所定の挿入位置以外へのロックピース挿入を防止する誤組付防止リブ３５が端子挿入口３３ａに向けて突出させて設けてある。
ロックピース２０の材料は、所定の弾性と耐湿性を有するものであれば限定されないが、例えばナイロンや、ポリブチレンテレフタレート、ポリフェニレンスルフィド等が考えられる。
またロックピース２０は、色をハウジング３１と異ならせることで端子収納孔３３内に装着したことを簡単に目視確認出来るようにすると良く、例えばハウジングを透明性を有する樹脂で形成して、ロックピースをハウジングと異なる色の有色樹脂で形成すると良い。
【００１１】
次に図４を用いてロックピースによるプラグ端子金具の抜止と位置修正構造について説明する。
図４は図１に示す組立手順の説明図のそれぞれの組立状態に対応させてあり、わかりやすくするためにプラグ端子金具５０の一部とワイヤ１等を図示省略して描いた説明図で、左側には縦断面図を示し、右側に水平方向断面図を示す。
図４（ａ）はプラグ端子金具５０を端子収納孔３３に挿入する前の状態を示し、図４（ｂ）はプラグ端子金具５０を端子収納孔３３内に装着した状態を示し、図４（ｃ）はロックピース２０を端子収納孔３３のプラグ端子金具５０の後方に装着した状態を示し、図４（ｄ）はプラグ端子金具５０の端子収納孔３３への挿入が不十分で、ロックピース２０の端子抜止部２２でガイド片５２の後部を押し込んでいる状態を示す。
プラグ端子金具５０は図４（ａ）に示すように端子挿入口３３ａから挿入して、図４（ｂ）に示すようにガイド片５２をガイド片保持溝３６に嵌めて弾性係止片５１先端を係止段差面４４ｃに係止して端子収納孔３３内の所定位置に装着する。
ロックピース２０は係止爪２４を爪係止部３８ａにスナップ係止させて、図４（ｃ）に示すように端子収納孔３３内に装着する。
ロックピース２０を端子収納孔３３内に装着すると、ロックピース２０の端子抜止部２２はガイド片案内溝３７に嵌ってガイド片保持溝３６の溝口を端子抜止部２２の抜止面２２ａで塞ぎ、ストッパー部２５はストッパー受け凹部３９に突き当たって嵌る。
ロックピース２０の端子収納孔３３への挿入深さが足りなくてロックピース装着が不完全な時には、ストッパー部２５とストッパー受け凹部３９との間に隙間が生じるので、ロックピース２０の装着状態はこの隙間が生じていないか目視して簡単に判断出来る。
ストッパー部２５はストッパー受け凹部３９に嵌ることで、ロックピース２０を周方向に位置決めして周り止め固定する。
ロックピース２０は端子収納孔３３へ装着して、端子抜止部２２の抜止面２２ａでガイド片保持溝３６の溝口を塞ぐことで、ガイド片５２を抜止面２２ａでガイド片保持溝３６内から移動規制して、プラグ端子金具５０を抜止固定する。
この抜止面２２ａがガイド片５２の抜け方向の移動規制する位置は、プラグ端子金具５０が抜け方向の力を受けて弾性係止片５１の先端が係止段差面３４ｃに突き当たるのと、抜止面２２ａにガイド片５２が突き当たるのとが概ね同時となる位置に形成してある。
これによりプラグ端子金具５０に加わる抜け方向の負荷を弾性係止片５１とガイド片５２で分散して受けることでプラグ端子金具５０の抜け強度を高めてある。
端子抜止部２２は、ガイド片５２の挿入経路の後方からガイド片保持溝３６の方向に向けて挿入するため、図４（ｄ）に示すようにプラグ端子金具５０の端子収納孔３３への挿入深さが不充分でガイド片５２がガイド片保持溝３６に入りきっていない時には、ガイド片５２を押し込ませることが出来る。
端子抜止部２２の抜止面２２ａでロックピース２０が装着位置となるまでガイド片５２をガイド片保持溝３６内に押し込むと、弾性係止片５１の先端位置が段差係止面３４ｃに係止される位置となり、弾性係止片５１を弾性復帰させて係止段差面３４ｃに係止させて、プラグ端子金具５０をを完全な挿入位置に修正して装着出来る。
ロックピース２０は、装着することでプラグ端子金具５０を所定位置に固定して十分な抜け強度を持たせることが出来るため、図５（ａ）に示すように弾性係止片５１が係止段差面３４ｃに係止されない状態までに塑性変形してしまった場合や、図５（ｂ）に示すように弾性係止片５１が係止段差面３４ｃに係止不能に変形してしまった場合でも、プラグ端子金具５０を所定位置で抜止固定して端子の接触不良を防止出来る。
【００１２】
次にソケットコネクタ４０の構造について、図６、図７を用いて説明する。
図６（ａ）はソケット端子金具６０を端子収納孔４３に挿入する前の状態を示し、図６（ｂ）はソケット端子金具６０を端子収納孔４３内に装着した状態を示し、図６（ｃ）はロックピース２０ａを端子収納孔４３のソケット端子金具６０の後方に装着した状態を示す。
ソケット端子金具６０は先端側に形成した筒形の接触部６３と、ガイド片（スタビライザー）６２と弾性係合片（ランス）６１と、後端側にワイヤ端末を取り付けるワイヤ取付部６４とを有している。
ソケット端子金具６０のワイヤ取付部６４にはワイヤ２の端末をかしめて取り付けてある。
端子収納孔４３はコネクタ嵌合方向の反対側に端子挿入口４３ａで開口し、端子収納孔４３内には係止段差部４４とガイド片案内溝４７とガイド片保持溝４６とが形成してある。
係止段差部４４は段部４４ａと凹部４４ｂとを設け、段部４４ａと凹部４４ｂとの間に係止段差面４４ｃを設けている。
端子収納孔４３に挿入したソケット端子金具６０は、その弾性係止片６１を段部４４ａで撓ませて凹部４４ｂで弾性復帰させて弾性復帰した弾性係止片６１の先端を係止段差面４４ｃで係止させて端子収納孔内に装着固定する。
ガイド片保持溝４６は端子収納孔４３に挿入したソケット端子金具６０のガイド片６２を嵌めてソケット端子金具６０を所定位置とするように端子収納孔４３の内周壁を凹ませて形成してある。
ロックピース２０ａは、図８に外観斜視図を示すように半筒形のベース部２１に端子抜止部２３と係止爪２４とストッパー部２５とを設けている。
ロックピース２０ａは、プラグコネクタで用いるロックピース２０と共通部品としても良いし、コネクタに合わせた形状とした別部品としても良い。
ソケットコネクタ４０におけるロックピース２０ａの端子収納孔４３への取付構造、およびソケット端子金具６０の抜止、位置修正構造は、プラグコネクタ３０のロックピース２０の端子収納孔３３への取付構造、およびプラグ端子金具５０の抜止、位置修正構造と共通しているため説明は省略する。
【００１３】
図９に図２に示すプラグコネクタ３０と図７に示すソケットコネクタ４０とを備えた高電圧用の中継コネクタ１０の嵌合接続構造の説明図を示す。
中継コネクタ１０を嵌合する前の縦断面図を図９（ａ）に、片側断面図を図９（ｂ）に示し、嵌合後の縦断面図を図９（ｃ）に、片側断面図を図９（ｄ）に示す。
プラグコネクタ３０とソケットコネクタ４０は、プラグコネクタ３０の筒形凹部３２にソケットコネクタ４０の筒形隔壁４２を嵌めて、プラグ端子金具５０のピン形の接触部５３をソケット端子金具６０の筒形の接触部６３に嵌合接続させる。
中継コネクタ１０は、プラグ端子金具５０とソケット端子金具６０との接続部を中心として、プラグコネクタハウジング３１の外筒部３２ａと内筒部３２ｂの間に設けた筒形凹部３２に、ソケットコネクタハウジング４１に設けた筒形隔壁４２を嵌合させるため、筒形隔壁４２と筒形凹部３２の嵌合深さを適度に設定することで端子金具同士の接続部と中継コネクタ外部や隣接する極の接続部との間に高電圧用中継コネクタとして十分な沿面距離を容易に設けることが出来る。
プラグコネクタ３０及びソケットコネクタ４０はロックピース２０、２０ａで端子金具５０、６０を抜止固定してある。
このロックピースは、端子金具の接続部との間との沿面距離を確保する上で影響がある取付孔をハウジングに別途設けることをせずに、端子金具をそれぞれ挿入するために設けてある端子挿入口３３ａ、４３ａから挿入して取り付ける構造としてあるため、高電圧用中継コネクタに必要な沿面距離を確保しやすく、図９に示した例は、９ＫＶの耐電圧を有し、容易に５ＫＶ以上の耐電圧に対応できる。
【図面の簡単な説明】
【００１４】
【図１】本発明に関するプラグコネクタの組立手順の説明図を示す。
【図２】（ａ）は本発明に関するプラグコネクタの外観斜視図を示し、（ｂ）は端子挿入口側から見た外観図を示し、（ｃ）は片側断面図を示す。
【図３】ロックピースの外観斜視図を示す。
【図４】ロックピースによる端子金具の抜止と位置修正構造の説明図を示す。
【図５】損傷した弾性係止片を有するプラグ端子金具をロックピースで抜止固定した状態の説明図を示す。
【図６】本発明に関するソケットコネクタの組立手順の説明図を示す。
【図７】（ａ）は本発明に関するソケットコネクタの外観斜視図を示し、（ｂ）は端子挿入口側から見た外観図を示し、（ｃ）は片側断面図を示す。
【図８】ロックピースの外観斜視図を示す。
【図９】本発明に関するプラグコネクタとソケットコネクタを備えた高電圧用中継コネクタの嵌合接続構造の説明図を示す。
【図１０】従来のコネクタの実施例を示す。
【符号の説明】
【００１５】
１、２  ワイヤ
１０    高電圧用中継コネクタ
２０、２０ａ  ロックピース
２１    ベース部
２１ａ  切欠
２２、２３  端子抜止部
２２ａ  抜止面
２４    係止爪
２５    ストッパー部
２６    バネ片
３０    プラグコネクタ
３１    プラグコネクタハウジング
３２    筒形凹部
３２ａ  外筒部
３２ｂ  内筒部
３３    端子収納孔
３３ａ  端子挿入口
３３ｂ  端子収納孔内周面
３３ｃ  取付空間部
３４    係止段差部
３４ａ  段部
３４ｂ  凹部
３４ｃ  係止段差面
３５    誤組付防止リブ
３６    ガイド片保持溝
３７    ガイド片案内溝
３７ａ  ガイド片案内斜面
３８ａ  爪係止部
３８ｂ、３８ｃ  爪ガイド溝
３９    ストッパー受け凹部
４０    ソケットコネクタ
４１    ソケットコネクタハウジング
４２    筒形隔壁
４３    端子収納孔
４３ａ  端子挿入口
４３ｂ  端子収納孔内周面
４３ｃ  取付空間部
４４    係止段差部
４４ａ  段部
４４ｂ  凹部
４４ｃ  係止段差面
４５    誤組付防止リブ
４６    ガイド片保持溝
４７    ガイド片案内溝
４７ａ  ガイド片案内斜面
４８ａ  爪係止部
４８ｂ、４８ｃ  爪ガイド溝
４９    ストッパー受け凹部
５０    プラグ端子金具
５１    弾性係止片（ランス）
５２    ガイド片（スタビライザー）
５３    接触部
５４    ワイヤ取付部
６０    ソケット端子金具
６１    弾性係止片（ランス）
６２    ガイド片（スタビライザー）
６３    接触部
６４    ワイヤ取付部
【図１】
2008071543.tif 000003
【図２】
2008071543.tif 000004
【図３】
2008071543.tif 000005
【図４】
2008071543.tif 000006
【図５】
2008071543.tif 000007
【図６】
2008071543.tif 000008
【図７】
2008071543.tif 000009
【図８】
2008071543.tif 000010
【図９】
2008071543.tif 000011
【図１０】
2008071543.tif 000012